(57)【特許請求の範囲】
【請求項１】
木造家屋の床上に設置される重要保存対象物である金庫を津波の襲来から保護するための津波対策装置であって、金庫は、外地盤に固定された外繋留杭である繋留手段に対しつなぎ材で繋がれるとともに、そのつなぎ材は、基礎のウエッブを貫通するように通されていることを特徴とする津波対策装置。
【発明の詳細な説明】
【技術分野】
【０００１】  本発明は、津波対策装置に関する。
【背景技術】
【０００２】  先般の大震災の津波襲来に先立って下記のような津波避難装置が提案されている。【０００３】
【特許文献１】  特開２００８−１４１１２
【発明の概要】
【発明が解決しようとする課題】
【０００４】  特許文献１に開示された津波避難装置によれば、津波から避難して助かるのであるが、避難したあと残された家屋は、津波からの被害を受けて壁や柱などが流され、木造家屋にあっては、土台と基礎のみしか残らずその他のものは全て流失されて不明になっていた。流失されたものの中には、重要で流失してはいけないものも含まれ、その後の生活に困ることになっていた。【０００５】  本発明は、このような問題を解決しようとするものであり、流されてほしくない重要なものが津波で流されるという事態をなくすようにした津波対策装置を提供することを目的とする。
【課題を解決するための手段】
【０００６】本発明は上記目的を達成するため、請求項１に記載の発明は、木造家屋の床上に設置される重要保存対象物である金庫を津波の襲来から保護するための津波対策装置であって、金庫は、外地盤に固定された外繋留杭である繋留手段に対しつなぎ材で繋がれるとともに、そのつなぎ材は、基礎のウエッブを貫通するように通されていることを特徴とする。
【発明の効果】
【０００７】上述したように本発明は、木造家屋の床上に設置される重要保存対象物である金庫を津波の襲来から保護するための津波対策装置であって、金庫は、外地盤に固定された外繋留杭である繋留手段に対しつなぎ材で繋がれるとともに、そのつなぎ材は、基礎のウエッブを貫通するように通されていることを特徴とするので、流されてほしくない重要な金庫が津波で流されるという事態をなくすことができる津波対策装置を提供することができる。
【図面の簡単な説明】
【０００８】
【図１】本発明の一実施形態を示す津波対策装置の設置要領を示す断面図。
【図２】図１の装置の設置後の様子を示す断面図。
【図３】他の実施形態を示す側断面図。
【図４】他の実施形態を示す側断面図。
【図５】他の実施形態を示す断面図。
【図６】他の実施形態を示す断面図。
【図７】他の実施形態を示す断面図。
【図８】他の実施形態を示す断面図。
【図９】他の実施形態を示す断面図。
【図１０】他の実施形態を示す縦断面図。
【図１１】他の実施形態を示す縦断面図。
【図１２】他の実施形態を示す縦断面図。
【図１３】他の実施形態を示す斜視図。
【図１４】他の実施形態を示す縦断面図。
【図１５】他の実施形態を示す縦断面図。
【図１６】他の実施形態を示す縦断面図。
【図１７】他の実施形態を示す縦断面図。
【図１８】他の実施形態を示す縦断面図。
【図１９】他の実施形態を示す縦断面図。
【図２０】他の実施形態を示す平面図。
【図２１】他の実施形態を示す縦断面図。
【図２２】他の実施形態を示す縦断面図。
【図２３】他の実施形態を示す縦断面図。
【図２４】図２３の平面図。
【図２５】他の実施形態を示す横断面模式図。
【図２６】付加的な提案例を示す正面図。
【図２７】付加的な他の提案例を示す正面図。
【発明を実施するための形態】
【０００９】  以下、本発明の一実施形態を説明する。各実施形態で説明する各案は関係する他の実施形態においても適用することができる。
図１および図２において、１は木造家屋の（布）基礎で、同基礎１内には床下地盤２が、また外部には外地盤３が設けられている。４は土台、５はくつ石、６は床束、７は大引き、８は根太を示し、根太８上には床板９が敷設される一方、土台４上には柱や外壁１０などが設けられている。
【００１０】  １２は金庫（重要保存対象物）で脚１３付きのものであり、この金庫１２は、図２に示す位置に固定されるのであるが、固定される前には図１のように別位置に退避させておくものとする。そして、固定される位置の中央に対応して床板９に通穴１４が形成され、その穴１４を通じて掘進スクリュウ１５付きの中繋留杭（繋留手段）１６が通されて床下地盤２内へと掘進されてゆくようになっている。そのため、中繋留杭１６の上端には、ハンドル１７を挿脱できる付加ジョイント１８が止着具１９により取り付けられて掘進されてゆくようになっている。付加ジョイント１８は、ハンドル１７が抜き差し可能とされる他に、図１に仮想線で示すようなインパクト式電動具２０が結合されるようにして中繋留杭１６を掘進するようにしてもよい。掘進スクリュウ１５は、図１の下欄に示すように端面鋸刃２１にしてもよい。
【００１１】  この津波対策装置を実施するには、図１のように、まず金庫１２を、本来設置すべき位置から避けておき、その設置すべき位置の中央にスクリュウ１５よりも大きな直径の通穴１４を形成する。スクリュウ１５付き中繋留杭１６には、止着具１９により付加ジョイント１８を取り付けておき、同ジョイント１８にハンドル１７を差し込んだとスクリュウ１５側を下向きにして中繋留杭１６を通穴１４から床下内に垂直に降ろし床下地盤２上にたて突けるようにする。
【００１２】  そのあと、ハンドル１７を回してスクリュウ１５を地盤２内に掘進させ、図１のように中繋留杭１６の上端が床板９上にくるようにする。中繋留杭１６は充分床下地盤２によって固定強度を得ており、そのあと止着具１９を外して付加ジョイント１８およびハンドル１７を中繋留杭１６より外す。付加ジョイント１８に電動具２０を嵌め込んで電動力で中繋留杭１６を立て込んでもよい。中繋留杭１６の上端は金庫１２の底面より下方になるように作業をする。
【００１３】  そのあと、図２のように中央に穴をもち両端に立ち上がり部を備えた帯鋼板状のベースボード２３を用意し、中央の穴が中繋留杭１６上端にくるようにして床板９上に設置する。中繋留杭１６の上端には、止着具１９を止め付けることでベースボード２３を抜けないようにしておく。その後、金庫１２を図２のように戻し、４個の脚１３のうち前列と後列のものの中間にベースボード２３がくるようにします。金庫１２のまわりには、伸縮具（ターンバックル）２４を備えたリンクチェーン２５が掛け渡され、その両端がベースボード２３の両はに係合されるようになっている。伸縮具２４を調整することでリンクチェーン２５は緊張して金庫１２を床上に固定する。前記リンクチェーン２５は、盗難時に切断不可能な焼入れスチールリンクなどを使用してもよい。リンクチェーン２５は複数本であってもよい。
尚、図２の右欄のように、金庫１２の底に通穴を設けておき、その穴に中繋留杭１６の上端を挿通して固定具２６により固定するようにしてもよい。この場合、ベースボード２３を介装する場合としない場合とがある。
床板９は、その上に畳やカーペットその他の敷物を敷設する場合がある。
【００１４】  図３は他の実施形態を示す。同実施形態は、金庫１２の脚１３を対象にしてその脚１３まわりに丸筒あるいは角筒などの連結具３０を嵌め付けるとともに、その連結具３０を止着具３１にて脚１３側に固定するようにし、さらに、連結具３０と中繋留杭１６とを強力なつなぎ材３２で連結して金庫１２が流されないようにしたものである。３３は回転ジョイントで、止着具３１のねじ込みを回転により吸収するものである。連結具３０およびつなぎ材３２は複数組であってもよい。
【００１５】  図４は他の実施形態を示す。同実施形態は、脚なしの金庫１２の底面に金庫１２よりも充分広い鋼板製ベースボード２３を備えて固定具３６により連結固定可能にするとともに、このベースボード２３の外周位置に中繋留杭１６と対応する通穴３７をあけておいてこの通穴３７を通じて中繋留杭１６を打込み、さらに、これら中繋留杭１６に上から止着具３８をねじ付けて中繋留杭１６とベースボード２３さらに金庫１２とを一体化するようにしたものである。これにより、津波による金庫１２の流出は阻止されるとともに盗難を一層難しくする。尚、中繋留杭１６は前列２本設けられているがいずれか１本でもよく、また後列にも１本あるいは２本設けてもよいもので、本数はここで限定されない。止着具３８と中繋留杭１６とは、中繋留杭１６の床下部分における回り止め３９により連結したり、あるいは止着具３８と中繋留杭１６とを事後に溶接固着するようにすれば盗難は完全に阻止されるものとなる。さらに、右上欄のように、中繋留杭１６に頭部１６ａを備えておいて打込みとともにこの頭部１６ａがベースボード２３上に固定されるようにしてもよい。前記金庫１２は脚１３付にしてもよい。
【００１６】  図５は他の実施形態を示す。同実施形態は、脚１３まわりに右図のような穴４２付の固定具４３を嵌め付けてアジャスタ４４により脚１３にこの固定具４３を装着できるようにするとともに、固定具４３と中繋留杭１６とをリンクチェーンであるつなぎ材４５で連結するようにしたものである。
尚、右下欄に示すように、金庫１２の脚１３に取り付けた固定具４３´に内アンカー４０の上端を連結するとともに、同アンカー４０の下端に充分長い（５ないし１０ｍ）つなぎ材４５をつなぎ、さらにつなぎ材４５を床下地盤２に打込んだ中繋留杭１６に結合するようにしてもよい。中繋留杭１６には、銘板あるいは刻印などの表示４１を付してもよい。また、中繋留杭１６は、コンクリートブロック４６に立設しておき、同ブロック４６を床下地盤２に固設するとともに中繋留杭１６の上端を介してつなぎ材４５を接続してもよい。
【００１７】  図６は他の実施形態を示す。同実施形態は、外地盤３に外繋留杭（繋留手段）１６を１本あるいは複数本打込む一方、金庫１２にベースボード２３を連結固定してベースボード２３に連結した内アンカー４８と外繋留杭１６との間をつなぐつなぎ材４９を基礎１のウエッブを貫通するように通したものである。５０は保護パイプあるいはチューブである。内アンカー４８は、頭部が回しにくいように丸頭状あるいは皿頭状にしておきナット５１により床下から締め付けできるようにしておけば、盗難が非常に困難になる。ベースボード２３は、仮想線で示すように中繋留杭１６で床下地盤２に固定されるようにしてもよい。内アンカー４８は、図示のようにベースボード２３を通じて金庫１２内に固定されるようにしてもよい。金庫１２には脚を付けてもよい。
尚、図の左欄に示すように、外繋留杭１６は打込む以外に穿孔具５２によって予め縦あるいは斜め孔をあけておき、その孔Ａの底を拡張器具あるいは水圧などによって拡げ、その孔内に展開具５３付きの外繋留杭１６を挿入することで自動で展開具５３が開くようにしてそのあと土砂あるいはコンクリートなどを埋め込むことで抜けにくい外繋留杭１６とすることもできる。展開具５３において、ａは外繋留杭１６が底まで達した際に底から回転力を受ける当たり、ｂは回転ストッパ、ｃは偏心支持軸である。こうした展開具５３は上下複数段に設けることができる。
また、つなぎ材４９´は、図示のように５ｍ〜１０ｍ前後に充分長くしておけば、津波により家屋が浮上しても垂直方向に引張力が作用せず斜め方向（仮想線矢印）に作用することになるため抜けにくくなる。このつなぎ材４９´は、外繋留杭１６の上部に備えた４個以上の通し環１６ａ…のうちの１つを利用してつないだり、他の通し環１６ａを利用してオートバイなどの車両に接続することができる。残る通し環１６ａについては、補助アンカー４７，４７の打込み固定のために利用する。
さらに、外繋留杭１６を上下貫通型のパイプ製としておけばその中を水が通過可能であるので液状化防止にもなる。
【００１８】  図７は他の実施形態を示す。同実施形態は、基礎繋留杭（繋留手段）５４をボルトナット式として基礎１に挿入固定可能とし、この基礎繋留杭５４と内アンカー４８とをつなぎ材４９で連結するようにしたものである。金庫１２には脚を付けてもよい。
【００１９】  図８は他の実施形態を示す。同実施形態は、基礎繋留杭（繋留手段）５６を基礎１のフランジ部分に打込むものとしてその上端に備えたリング５７につなぎ材４９を連結して内アンカー４８およびベースボード２３、金庫１２とを一体化するようにしたものである。
【００２０】  図９は他の実施形態を示す。同実施形態は、鉄骨構造の建造物における鉄骨支柱５８あるいは鉄骨梁（あるいは桁）５９にリング付きボルトなどの内アンカー（繋留手段）６０を固定しておき、建築施工後にそのリング部分を利用して金庫１２を固定することによって津波からの流出を免れるようにしたものである。６１はリンクチェーン、６２は伸縮具である。金庫１２にベースボード２３を連結してベースボード２３をリングに連結するようにしてもよい。
【００２１】  図１０は他の実施形態で、同実施形態は、金庫１２やロッカー６５、仏壇６６などの重要なものをまとめて津波による流出から護るようにしたもので、特に、これら複数の重要保存対象物１２，６５，６６を押し波＋Ｘに対しても引き波−Ｘに対してもいずれにも流出されず保存されるようにしたものである。
【００２２】  重要保存対象物１２，６５，６６には、それぞれにベースボード２３を付けて両者を図示しない止着具にて連結しておくとともに、ベースボード２３は、下端にリングを備えた内アンカー４８により床板９に取り付けるようにする。床下地盤２に打込まれたリング付きの中繋留杭（繋留手段）１６…は複数本で少なくとも３本からなり、そのうち１本は垂直状ａ、他の２本は津波の流れ方向に対して異なる方向に傾いたものｂ、ｃとして打込まれている。そして、内アンカー４８のリング相互は第１つなぎ材６７により連結されるとともに、同第１つなぎ材６７と中繋留杭１６のリングとの間も他の第２つなぎ材６８にて連結されている。
【００２３】  このように重要保存対象物１２，６５，６６相互が連結されるとともにさらに中繋留杭１６とも連結され、特に、中繋留杭１６が垂直状のものａと傾斜状のものｂ、ｃにより組み合わされているので、押し波＋Ｘがくるときはａとｃが、引き波−Ｘがくるときはａとｂが抜けにくく抵抗するように協働機能して重要保存対象物１２，６５，６６の全てが有効に津波から護られることになる
【００２４】  仏壇６６についてはそのままでは分解し得る構造になっているので、図示のようにベースボード２３上に仏壇６６を取り囲むような保護ケース６９を取り付けるとともに、同ケース６９内にはアジャスタ７０…を介して当てパッド７１を設けて仏壇６６を外周より押さえ込むようにしてある。ケース６９の裏表には、仮想線で示すように水密ボード７２を備え付けて津波の流れが作用しても仏壇６６の全体が護られるようにしてもよい。
【００２５】  図１１は他の実施形態を示し、同実施形態は、ＰＣ本体７５とモニター７６およびキーボード７７を１式とするＰＣセットが津波で流されないようにしたものである。７８はデスクで、その上には浮力を発生可能なフロート７９が設置されるとともに、同フロート７９上には、保護ケース８０が取り付けられ、同ケース８０に当てパッド８１を介して前記ＰＣセットが固定されている。キーボード７７は、フロート７９に凹設した収納棚８２内に収められるようにしてある。保護ケース８０は、床板２３から床下地盤２へと打込まれて立設されたガイド８３に添って昇降自在とされるとともに、床下地盤２へ打ち込まれた中繋留杭１６につなぎ材４９を介してＰＣセットの流出が防止されている。内アンカー４８はデスク７８を介してフロート７９内に挿入固定されている。デスク７８の裏面にもフロート７８を追加することがある。
【００２６】  図１２は他の実施形態を示す。同実施形態は、屋内あるいは屋外に打込まれる繋留杭（繋留手段）８４についての例である。同繋留杭８４は、金属製で、その上部外周には、補助アンカー８５を挿通し地盤８６内に打込むことのできる挿通リング８７が複数突設されているとともに、さらに上部にはつなぎ材８８の一端をむすぶためのつなぎリング８９が溶接一体化されている。９０は金属製の打撃ヘッドである。繋留杭８４の先端は開き口状になっていて同繋留杭８４が打込まれると拡がって抜けにくくなるようになっている。
尚、屋外設置のガスボンベＢ…は津波襲来によりホースが切断してガス漏れを起こししかもボンベＢ…相互のぶつかり発火により火災に至ることのないように、右欄図のように、ボンベＢをゴムカバー９１により保護するとともにその全体をガード枠９２により一括防護したあと、つなぎ材８８を介して繋留杭（繋留手段）８４に接続しておくことで火災を防止するようにしてもよい。
【００２７】  図１３は他の実施形態を示す。同実施形態は、屋内外用の繋留杭（繋留手段）９３の上部外周に挿通受板９４を一体に備え、その通孔９５を介して補助アンカー９６を打込み可能とするとともに、繋留杭９３の上部には、つなぎ材９７を連結するためのつなぎリング９８が一体突設されている。挿通受板９４は繋留杭９３の打込み用ともされ、打込まれた繋留杭９３には、通孔９５を通じて補助アンカー９６が打込まれるとともに、つなぎリング９８にはつなぎ材９７が連結されて重要保存対象物の流出を食い止めるものである。尚、右欄に示すように、挿通受板９４の端部には曲げ上がり部９４ａを形成して同部分にあけた通孔９５を通じて補助アンカー９６が斜めに打込みやすいようにしてもよい。
【００２８】  図１４は他の実施形態を示す。同実施形態は、屋内外用の繋留杭（繋留手段）１００の上部外周に挿通受板１０１を一体化して４つの通孔１０２のうちのいずれかを通じて地盤１０３に補助アンカー１０４を打込めるようにするとともに、他の通孔１０２を通じてつなぎ材１０５を連結するようにしたものである。さらに、繋留杭１００には、丸パイプ製としてその中に備忘録とか古い写真などの重要保存対象物１０６…を入れるようにするとともに、同繋留杭１００の上端はプラグ１０７で密閉可能とし、また、繋留杭１００の外周には、所有者表示１０８を付して所有元を明らかにするようにしてある。繋留杭１００の上端には、打撃ヘッド１０９を取り付けて打込みを可能にする。尚、右下欄に示すように、アンカー１００は潰し状の先端部１１０としてもよい。
【００２９】  図１５は他の実施形態を示す。同実施形態は、屋内外用の繋留杭（繋留手段）１１３の上部外周に挿通リング１１４を備えて補助アンカー１１５を挿通して打込めるようにするとともにつなぎリング１１６を備えてつなぎ材１１７を連結できるようにしてある。この繋留杭１１３もパイプ製で中に重要保存対象物１１８を入れて密閉プラグ１１９で水密保管可能にするとともに所有者表示１２０も備えるものとする。プラグ１１９は、右欄のようにＯリング１２１を介して水密化するものとし、さらに上端に金属製の打撃ヘッド１２２を備えるものとする。
【００３０】  図１６は他の実施形態を示す。同実施形態は、繋留杭セットで、金庫１２６の底にねじ込まれた脚１２７を利用して専用の取付プレート１２８が固定され、この取付プレート１２８の端部は床板１２９の方向に曲がっており、その曲がった部分には、予め開けておいた床穴１３０を通して差し込んだ内アンカー１３１の上端を取り付けてある。内アンカー１３１は床下へ伸び、その端部には繋留クサリであるつなぎ材１３２の一端が取り付けられている。つなぎ材１３２は自動的に伸びるように支持バー１３３に掛け付けながらその他端は基礎１３４の方向に伸びている。
基礎１３４には、貫通した孔があけられ、その孔を通じて保護パイプ１３５を通してあり、その保護パイプ１３５内を通じてつなぎ材１３２の他端を通し外庭へと取り出してある。
【００３１】  保護パイプ１３５の外周のクッションスリーブ１３６はつなぎ材１３２から保護パイプ１３５に働く衝撃力によって基礎が壊れないように保護する。
外庭地盤１３７には、打込みやスパイラルねじ込み、埋設などの方法で外繋留杭１３８が固定されている。外繋留杭１３８には、取り出されたつなぎ材１３２が上リング１３９を介して連結されている。また、外繋留杭１３８は、下リング１４０を介して異方向に対し抵抗する複数本の補助斜行杭１４１を打込み充分な抜脱対策を施すことができる。ここで外繋留杭１３８はパイプ製にして水密キャップ１４２を付けておくことでその内部に備忘録とか写真などの保存すべき大切なもの１４３を入れておくこともできる。
【００３２】  図１６のように津波＋Ｘが襲来して家屋が流されても金庫１２６は破線のように内アンカー１３１、つなぎ材１３２および外繋留杭１３８によって繋留され、流失するおそれがない。これは引き波−Ｘが襲来したときも同様である。
なお、震災においては基礎１３４の殆どが残ったことから、つなぎ材１３２の中途を通じて基礎際添わせ杭１４４を打込んで更なる抜け防止を図ってもよく、また、図１７に示すように、床下地盤１４５に中繋留杭１４６を固設して長いつなぎ材１４７の先端を繋いでもよいし、中繋留杭１４６と図１６の外繋留杭１３７との間もつなぎ材１４７で繋いで繋留効果を更に向上させるようにしてもよい。さらに、金庫１２６には脚なしでその底面にベースボードを取り付けたタイプのものがあるが、そのベースボードを取付プレート１２８の代わりとして内アンカー１３１やつなぎ材１３２，１４７を連結することもできる。
【００３３】  図１８は他の実施形態を示す。同実施形態は、重要保存対象物を収納して土中に埋め津波や洪水などの非常事態に備えるようにしたカプセル１５０についてのものである。このカプセル１５０は、所有者の家屋の床下地盤内や外庭地盤、あるいは山、田畑その他の大地などに埋設する。
【００３４】  カプセル１５０は、外ケース１５１と中ケース１５２および本ケース１５３の３つのケースよりなる。本ケース１５３は、図示しない備忘録や思いで写真などの重要保存対象物を密閉状に収納するためのもので、重要保存対象物は、それぞれあるいは全体として更なる密閉パッケージに入れることができる。本ケース１５３の外周囲には、炭や乾燥剤をクッション材とともに混合した介装材１５４を入れてその外まわりに中ケース１５２がくるようにしてある。この中ケース１５２は、樹脂やステンレス製で密閉型のもので、１５５はシール、１５６は密閉化器具である。さらに、中ケース１５２の外まわりにも介装材１５４を入れてその外部に外ケース１５１がくるようにしてある。同ケース１５２はシートや防水封筒などで密閉化してもよい。外ケース１５１は、鉄筋コンクリート製で剛強なものであり、シール１５７付きの密閉蓋１５８を開閉式に備える。この外ケース１５１の外まわりにも介装材１５４を介することで土中に掘ったセット穴１５９内にカプセル１５０を埋め込むようにしてある。ａは被覆膜材で、外ケース１５１内への水や湿気などの浸入を阻止するためのものである。
尚、外ケース１５１は、各種排水枡を利用することができる。また、カプセル１５０上の表土側には、部分殻状の上・下防護盤１６０，１６１を埋設することができる。この場合、防護盤１６０，１６１はコンクリートや鉄板、アルミ合金、ＦＲＰ製などとすることができる。１６２は取っ手で、上防護盤１６１の取っ手１６２についてはカプセル１５０の位置表示のため地表に露出させておくことができる。
上記のようにカプセル１５０を土中に埋め込むように構成すると、津波流＋Ｘ、−Ｘが地表を流れても防護盤１６０，１６１が侵食を防止してカプセル１５０を護るだけでなく、長い時間侵食を受けて防護盤１６０，１６１が流失するようなことがあってもカプセル１５０は埋設式にしているので、保護される。
【００３５】  図１９は他の実施形態を示す。同実施形態は、土中にカプセル１５０と防護盤１６０，１６１を埋設したものにおいて、同カプセル１５０を家屋内の金庫１６４の繋留用として利用したものである。金庫１６４は、内アンカー１６５とつなぎ材１６６を介して外繋留杭１６７により繋留されているが、外繋留杭１６７とカプセル１５０とを他のつなぎ材１６８で繋いだものである。１６９は防護杭で、カプセル１５０の周りの土中に打込まれており、津波流からカプセル１５０の流失を護るようにしたものである。尚、防護盤１６０，１６１のいずれかは防護杭１６９の打込みにより同時固定しておけば、防護盤１６０，１６１の流失は避けられる。
尚、同図上欄に示すように、外ケース１５１として既存品であるコンクリート製の集合枡（会所）を利用して構成する場合、その内外面を防水塗装して土中に埋めたときでも長期間の浸水を防止できるようにし、また、同外ケース１５１に付属する蓋１５８については、既存孔を塞いでそれとともに取っ手ｄを備える一方、蓋１５８については新規に密閉蓋１５８を造って嵌め込むようにしてもよい。蓋１５８上には、金属探知機などで反応する金属板ｂやＩＣチップなどを付してもよく、また、同上面には、「守り箱」などの製品名を付した銘板ｃを付してもよい。こうした外ケース１５１は、介装材１５４を介して被覆膜材ａにて密閉化してその外部の介装材１５４とともに埋め込むものとする。さらに、こうしたカプセル１５０の上側には、防水性の防護蓋１６１で覆うものとする。この右欄のものは、図１８に示す実施形態にも適用するものとし、また、図１８の実施形態のものをこの右欄のものに適用可能とする。
【００３６】  防護杭１６９は図２０のようにカプセル１５０の回りに配備されるが、特にカプセル１５０を津波流＋Ｘ、−Ｘに対してその角部が向くようにしておけば仮に津波流によりカプセル１５０上の土砂が削り取られてカプセル１５０に津波流が作用しても流されにくくなる。カプセル１５０が右欄のように丸筒型とされることもある。
【００３７】  図２１に示す他の実施形態は、カプセル１５０上に防護盤１６０を設け、さらに防護杭１６９を配備したものにおいて、防護杭１６９や防護盤１６０などからはつなぎ材１７１を介して表示ピース１７２を取り付けて地表からカプセル１５０の埋設位置を確認できるようにしてもよい。この表示ピース１７２は、右欄に示すように、長くしたつなぎ材１７１につないだフロート１７３に付しておくことで津波流がきても浮くようにしておけばがれきに埋まるおそれもなくなりあとでカプセル１５０の位置確認が確実にできるようになる。また、左欄のように、土砂中にマグネットや鉄粒１７４などを蒔いておくことで金属探知機によりカプセル１５０の位置確認ができるようにしたり、あるいは土砂に色のついた砂とかレンガなどを蒔いて地上からの視認によりカプセル１５０の位置を確認できるようにしてもよい。
【００３８】図２２は他の実施形態を示す。同実施形態は、床上に設置した金庫１７７に取付プレート１７８を取り付けるとともに内アンカー１７９を床下へ向けて伸ばし、この内アンカー１７９に長いつなぎ材１８０を接続して金庫１７７が流失しないようにするものにあって、つなぎ材１８０の一端をカプセル１５０側につなぐことによってカプセル１５０を繋留役とするようにしたものである。それとともにカプセル１５０を床下地盤内に埋め込んでおくので、金庫１７７が仮に流失してもカプセル１５０内の重要保存対象物は最低限確保されることになる。１８１は連結環である。
尚、床１８２に開閉蓋１８３を設けておいて、カプセル１５０の埋め込み工事などができるようにしてもよい。
【００３９】図２３（縦断面図）、図２４（平面図）は他の実施形態を示す。同実施形態は、カプセル１８６を大型化して家屋１８７の外庭に大部分埋設式で設置し、津波＋Ｘや竜巻発生時の避難場所として利用できるようにしたものである。カプセル１８６は、図２３に破線で示すように家屋１８７の床下に設置することもできる。このカプセル１８６は、ＲＣ構造で専用のものとされ、その上部は津波＋Ｘに強い斜上壁１８８を備える突隆型とされるとともに、その突隆部分の上端には避難蓋１８９が密閉可能で開閉自在に設けられている。前記突隆部分の上部とこの蓋１８９は地上に露出するとともに、図２４のようにカプセル１８６の一側に偏寄して位置する。尚、蓋１８９には給排気部１８９ａを備えてもよい。
【００４０】  カプセル１８６の内部は、避難口１９０から直ぐにすべり込むことができる滑り路１９１がカプセル１８６内の一側に添うようにして設けられ、その上方および終端にはクッション１９２が安全保護のために設けられている。すべり路１９１の下側には重要保存対象物を収納できる密閉式保管容器１９３…を入れておくことができる収納部１９４が設けられている。その他の空間は避難空間になっている。
【００４１】  尚、カプセル１８６の前方には緩衝杭２０３が埋め込み式で立設されている。また、カプセル１８６の一端まわりには、パイプ製の支柱１９５が複数本立設されるとともに、これら支柱１９５の上端間は連結梁１９６により一体連結されて防護フレーム１９７が形成されている。この防護フレーム１９７の前後面および天面には、津波流＋Ｘに耐えられる防護網（あるいは多孔板）１９８が張り付けられてがれきなどが侵入しないようにしてある。さらに、支柱１９５を流通空間として通気パイプ１９９に連通させ、このパイプ１９９を通じてエアーを取り込んだり内ガスの排出に利用してもよい。カプセル１８６の上端には、図２３の上欄に示すように、金属製あるいはコンクリート一体式に側面三角形した出入り口部２００を設け、その津波流＋Ｘとは反対側に蓋１８９を設けてもよい。
尚、図２３に破線で示すように、床下にカプセル１８６を設ける場合、避難蓋１８９は家屋床と同面状に設けて部屋内から直ぐに避難できるようにすることができる。また、カプセル１８６の内底部には、浸水分が溜まってもよいように少し高い底板２０１を設けることができる。カプセル１８６あるいは防護フレーム１９７からは耐震補強用の連結フレーム２０２を立設して家屋１８７を耐震保持および津波補強するようにすることができる。
さらに、図２４の右欄に示すように、家屋１８７の１つの面に平行となるようにカプセル１８６を埋設してもよい。この場合、防護フレーム１９７から連結フレーム２０２を立設して家屋１８７の柱に連結し耐震・津波補強を図ってもよい。この例のように入口となる蓋１８９は複数個所に設けてもよい。
【００４２】図２５は他の実施形態を示す。同図は一般家屋の横断模式図を示すもので、２２５は柱、２２６は側壁（あるいは扉）を示すもので、矢印＋Ｘは津波（押し波）の襲来する方向、−Ｘは引き波の襲来する方向を示している。側壁２２６はその一方の縦側辺がヒンジ２２７で前後（Ｒあるいは−Ｒ方向）に開閉自在に取り付けられるとともに、他方の側辺については津波＋Ｘあるいは−Ｘの激流により破断し得るように破断可能材２２８で連結されている。この破断可能材２２８側の他に側壁２２６の回りは右下のようなシール２２９で密封されている。このシール２２９は側壁２２６の４辺に対して備えるものとする。上記のようにしておくことで、津波が襲来してきても激流圧が逃がされて柱２２５および側壁２２６が残され、家屋が流出しないようになる
尚、右上欄に示すように、側壁２２６の両側辺について破断可能材２２８で連結しておいてもよい。
前記実施形態では、側壁２２６を縦軸回りに開閉自在に支持したが、例えば、下辺あるいは上辺に横軸式のヒンジ２２７を設けて横軸周りに開閉支持してもよい。
【００４３】図２６は付加的な提案例を示すもので、同例は、夏用（冬用も含む）のワイシャツを対象とし、同ワイシャツを擬似ネクタイ一体型としたものである。２３２は前身頃で、この前身頃２３２はブラケット２３３付きであるがなくてもよい。２３４はカラーでネック部２３５を備えている。２３６は擬似ネクタイで、このネクタイ２３６は、通常のネクタイとして使用される薄生地を裏手まで折り返した断面形状を有して正面から見ると大剣（ブレイド）部分およびその上部の中継ぎ半部分のみからなるもので、通常ネクタイに設けられる中継ぎ半部分と小剣部分はここでは省かれている一方、中継ぎ半部分の上端両脇には上向きに逆ハの字状に拡がる一対の突片２３７を有するとともに、図では縦配列で３個のボタン孔２３８ｂ…を有する。左右の突片２３７のうち一方（図の右側）はネック部２３５に縫い付けられるとともにネクタイの本体部分はブラケット２３３に同心状をなすように前身頃２３２の前面に同じく縫い付けられている。
【００４４】  ブラケット２３３には４つのボタン孔２３８ａ…があけられており、図示ではその最も下（４つ目）が表示されている。上３つのボタン孔２３８ａはネクタイ２３６に隠れて図示されていない。ネクタイ２３６はそのボタン孔２３８ｂが前見頃２３２側の３つのボタン孔２３８ａ上に一致するようにして縫い付けられている。したがって、ワイシャツを着る際は、上から４番目のボタン２３９…はブラケット２３３のボタン孔２３８ａのみに通されるが、その上の３つのボタン２３９…はブラケット２３３のボタン孔２３８ａとネクタイ２３６のボタン孔２３８ｂを通じて止めるようにする。一方、突片２３７の他方（図の左側）はフリーになっているが、その裏面とネック部２３５との間には面ファスナー２４０が構成されているので、このファスナー２４０により同突片２３７は留め付けられるようになっている。２４１はネクタイピンであり、薄い生地のネクタイ２３６を前身頃２３２側に安定させるため付ける。同ワイシャツを脱ぐには、ネクタイピン２４１を外したあとボタン２３９をボタン孔２３８ａ、２３８ｂから外し首周りの面ファスナー２４０を外して一方の突片２３７を取り外せばよい。
尚、同図左欄に示すように、カラー２３４にボタン孔２３８ｃを設けておいて突片２３７のボタン２３９を留め付けるようにしてもよい。
また、ネック部２３５には、清涼化のための通気孔を設けてもよい。
さらに、前記擬似ネクタイ２３６は、縫い付けの代わりに、ブラケット２３３との間における面ファスナーによって脱着可能にしてもよい。
【００４５】図２７は擬似ネクタイつきワイシャツの他の実施形態を示す。同実施形態は、上記ブラケット２３３に相当する部分が下部ブラケット２４３ａと擬似ネクタイ部分２４３ｂおよび突片２４３ｃによって形成され、これらを有するブラケット２４３を前身頃２３２の端縁部分に添って一体に縫い付けられたものである。２４４はボタン孔で前身頃２３２の生地とともに２枚合わせになった部分に形成されている。
尚、ブラケット２４３は、そのままではネクタイの形を充分に表現できないので、図示のように斜めストライプ２４５やネクタイ外縁形状に似た縫い付け模様２４６を施したりする。
【符号の説明】
【００４６】  １…基礎  ２…床下地盤  ３…外地盤  ４…土台  １２…金庫（重要保存対象物）  １６…アンカー  ２３…ベースボード。
【図１】
0005789864.tif 000002
【図２】
0005789864.tif 000003
【図３】
0005789864.tif 000004
【図４】
0005789864.tif 000005
【図５】
0005789864.tif 000006
【図６】
0005789864.tif 000007
【図７】
0005789864.tif 000008
【図８】
0005789864.tif 000009
【図９】
0005789864.tif 000010
【図１０】
0005789864.tif 000011
【図１１】
0005789864.tif 000012
【図１２】
0005789864.tif 000013
【図１３】
0005789864.tif 000014
【図１４】
0005789864.tif 000015
【図１５】
0005789864.tif 000016
【図１６】
0005789864.tif 000017
【図１７】
0005789864.tif 000018
【図１８】
0005789864.tif 000019
【図１９】
0005789864.tif 000020
【図２０】
0005789864.tif 000021
【図２１】
0005789864.tif 000022
【図２２】
0005789864.tif 000023
【図２３】
0005789864.tif 000024
【図２４】
0005789864.tif 000025
【図２５】
0005789864.tif 000026
【図２６】
0005789864.tif 000027
【図２７】
0005789864.tif 000028